(57)【要約】【課題】特殊な構造を必要とせず、より簡単な操作によって、いわゆるめくり表示におけるめくり速度及びめくり方向を調整することができ、利用者の操作性を向上させる表示装置を提供する。【解決手段】ページ単位の画像からなる電子書籍のコンテンツが表示される表示部６と、表示部６の表示画面上の位置指定を受け付ける位置受付部８とを備え、位置受付部８が受け付けた位置指定に基づき、該電子書籍をめくり表示する書籍データ表示装置１００において、前記画像の端部にて受け付けた位置指定に係る２点の相互関係に基づき、前記めくり表示の速度及び方向を決定するように構成する。【選択図】図１
2012150566.tif 000002
【特許請求の範囲】
【請求項１】
ページ単位の画像からなる画像群が表示される表示部と、該表示部の表示画面上の位置指定を受け付ける位置受付手段とを備え、該位置受付手段が受け付けた位置指定に基づき、該画像群を順次表示する表示装置において、
前記位置受付手段は画像の端部にて２点の位置指定を受け付け、
該２点の相互関係に基づき、前記順次表示の速度及び表示順を決定する決定手段を備えることを特徴とする表示装置。
【請求項２】
前記決定手段は、
先の位置指定に係る第１点と、後の位置指定に係る第２点との距離に基づき、前記順次表示の速度を決定する速度決定手段を備えることを特徴とする請求項１に記載の表示装置。
【請求項３】
前記速度決定手段は、
前記第１点の後の位置指定に係る点が複数である場合、最後の位置指定に係る点を前記第２点として、前記順次表示の速度を決定するように構成されていることを特徴とする請求項２に記載の表示装置。
【請求項４】
前記決定手段は、
先の位置指定に係る第１点と、後の位置指定に係る第２点との間の時間間隔に基づき、前記順次表示の速度を決定する速度決定手段を備えることを特徴とする請求項１に記載の表示装置。
【請求項５】
前記速度決定手段は、
複数の位置指定を受け付けた場合、最後の位置指定に係る２点を夫々第１点と第２点とし、前記順次表示の速度を決定するように構成されていることを特徴とする請求項４に記載の表示装置。
【請求項６】
前記画像群の各画像にはページ番号が付されており、
前記決定手段は、
前記第１点及び第２点を表す座標のＸ値同士又はＹ値同士の大小に基づき、ページ順か又は逆ページ順かの表示順の決定を行う表示順決定手段を備えることを特徴とする請求項２から５の何れか１つに記載の表示装置。
【請求項７】
前記表示順決定手段は、
前記第１点の後の位置指定に係る点が複数である場合、最後の位置指定に係る点を前記第２点として、前記表示順の決定を行うように構成されていることを特徴とする請求項６に記載の表示装置。
【請求項８】
ページ単位の画像からなる画像群が表示される表示部と、該表示部の表示画面上の位置指定を受け付ける位置受付手段とを備える表示装置にて、該位置受付手段が受け付けた位置指定に基づき、該画像群を順次表示する表示方法において、
前記位置受付手段を介して画像の端部にて２点の位置指定を受け付けるステップと、
先の位置指定に係る第１点と、後の位置指定に係る第２点との距離に基づき、前記順次表示の速度を決定するステップと
を含むことを特徴とする表示方法。
【請求項９】
前記画像群の各画像にはページ番号が付されており、
前記第１点及び第２点を表す座標のＸ値同士又はＹ値同士の大小に基づき、ページ順か又は逆ページ順かの表示順を決定するステップを含むことを特徴とする請求項８に記載の表示方法。
【請求項１０】
ページ単位の画像からなる画像群が表示される表示部と、該表示部の表示画面上の位置指定を受け付ける位置受付手段とを備える表示装置を構成するコンピュータに、該位置受付手段が受け付けた位置指定に基づき、該画像群を順次表示させるコンピュータプログラムにおいて、
コンピュータに、前記位置受付手段を介して画像の端部にて２点の位置指定を受付させるステップと、
コンピュータに、先の位置指定に係る第１点と、後の位置指定に係る第２点との距離に基づき、前記順次表示の速度を決定させるステップと
を実行させることを特徴とするコンピュータプログラム。
【請求項１１】
前記画像群の各画像にはページ番号が付されており、
コンピュータに、前記第１点及び第２点を表す座標のＸ値同士又はＹ値同士の大小に基づき、ページ順か又は逆ページ順かの表示順を決定させるステップを実行させることを特徴とする請求項１０に記載のコンピュータプログラム。
【請求項１２】
請求項１０又は請求項１１に記載のコンピュータプログラムを記録してあることを特徴とするコンピュータでの読み取りが可能な記録媒体。
【発明の詳細な説明】
【技術分野】
【０００１】
本発明は、ページ単位の画像からなる画像群を順次表示する表示装置、表示方法及びコンピュータプログラム、並びに該コンピュータプログラムを記録してある記録媒体に関する。
【背景技術】
【０００２】
近年、デジタルコンテンツを再生できるさまざまな携帯型情報端末が普及している。その中でも、いわゆる電子書籍をインストールして、場所と時間を選ばず読書を楽しむことができる携帯型情報端末が広く普及されつつある。
【０００３】
例えば、特許文献１では、前進用のページ送りスイッチと、後進用のページ戻しスイッチとを、指以外の身体の一部で操作しても誤操作しない程度の距離を置いて配置し、指（手）以外の身体の一部を用いてもページ捲りを行うことができ、手又は指が不自由である人でもページ捲り操作ができる電子書籍本体が開示されている。
【０００４】
また、特許文献２では、情報を表示するための可撓可能に構成されたフレキシブルな表示部と、該表示部に内蔵され、該表示部の曲げに応じた曲げ量を検知する曲げセンサと、該曲げセンサの検知出力に応じて前記表示部に表示される情報のスクロール速度を制御する画像表示制御部とを有し、前記表示部の曲げ量に応じたスクロール速度で情報のページめくり表示を行う情報表示端末装置が開示されている。
【０００５】
また、特許文献３では、筐体と、該筐体の表面に設けた表示パネルと、該筐体の表面の両端に設けた弾性変形する可曲部とを備えており、利用者は前記表示パネルの表示を更新させたい場合、何れかの可曲部を曲げる操作を行い、この際の可曲部の曲がり量に基づいて、前記表示パネルの表示が更新される表示装置が開示されている。
【０００６】
また、特許文献４では、画面上に表示情報を表示させるにおいて、ページの厚みを表示するモードと、ページの厚みを表示しないモードとを設けることにより、本の厚み又はページ位置等の情報を紙媒体の書籍と同様に把握することができ、書籍等のコンテンツの理解及び学習等にてより自然な取り扱いを可能とした情報表示装置が開示されている。
【０００７】
また、特許文献５では、表示部に接触した指の接触圧力、接触面積、接触位置を検出する指入力検出部と、検出された指の接触圧力、接触面積、接触位置、指の移動方向に基づき、頁めくり入力、連続ページめくり入力、しおり挿入、しおり挿入箇所参照入力等を判断する指入力判断部と、頁画像の更新制御を行うページ画像更新制御部と、しおりの挿入、参照処理を行うしおり処理部と、表示部に表示する画像を生成する画像生成部とを備え、頁めくり等の操作入力を使い勝手のよいヒューマンインターフェースを実現できる電子ブックが開示されている。
【先行技術文献】
【特許文献】
【０００８】
【特許文献１】特開２００８−１７６７３７号公報
【特許文献２】特開２００９−２０５５６５号公報
【特許文献３】特開２００４−１８５３３１号公報
【特許文献４】特開２００６−５３６０５号公報
【特許文献５】特開２０００−１６３１９３号公報
【発明の概要】
【発明が解決しようとする課題】
【０００９】
しかしながら、上述した特許文献１の電子書籍本体、特許文献２の情報表示端末装置及び特許文献３の表示装置においては、夫々ページおくりスイッチを設け、可撓可能に構成されたフレキシブルな表示部を備え、又は筐体の両端に弾性変形する可曲部を設ける等、目的とする効果を得るためには、特殊の構造が必要とされるので、コストがかかるという問題がある。
【００１０】
更に、特許文献１から特許文献５の何れにおいても、めくり操作の速度及びめくり操作の方向の調整に関しては工夫されていない。
【００１１】
本発明は、斯かる事情に鑑みてなされたものであり、その目的とするところは、ページ単位の画像からなる画像群が表示される表示部と、該表示部の表示画面上の位置指定を受け付ける位置受付手段とを備え、該位置受付手段が受け付けた位置指定に基づき、該画像群を順次表示する表示装置において、前記画像の端部にて受け付けた位置指定に係る２点の相互関係に基づき、前記順次表示の速度及び表示順を決定することにより、特殊な構造を必要とせず、簡単な操作によって、いわゆるめくり表示（順次表示）におけるめくり速度及びめくり方向（表示順）を調整することができ、利用者の操作性を向上させる表示装置、表示方法及びコンピュータプログラム、並びに該コンピュータプログラムを記録してある記録媒体を提供することにある。
【課題を解決するための手段】
【００１２】
本発明に係る表示装置は、ページ単位の画像からなる画像群が表示される表示部と、該表示部の表示画面上の位置指定を受け付ける位置受付手段とを備え、該位置受付手段が受け付けた位置指定に基づき、該画像群を順次表示する表示装置において、前記位置受付手段は画像の端部にて２点の位置指定を受け付け、該２点の相互関係に基づき、前記順次表示の速度及び表示順を決定する決定手段を備えることを特徴とする。
【００１３】
本発明にあっては、前記位置受付手段は画像の端部にて２点の位置指定を受け付けた場合、前記決定手段が該２点の相互関係に基づき、前記画像群の順次表示における速度及び表示順を決定する。
【００１４】
本発明に係る表示装置は、前記決定手段は、先の位置指定に係る第１点と、後の位置指定に係る第２点との距離に基づき、前記順次表示の速度を決定する速度決定手段を備えることを特徴とする。
【００１５】
本発明にあっては、前記決定手段は前記速度決定手段を備えており、該速度決定手段は前記第１点と前記第２点との間の距離を求め、該距離に基づき、前記画像群の順次表示における速度を決定する。
【００１６】
本発明に係る表示装置は、前記速度決定手段は、前記第１点の後の位置指定に係る点が複数である場合、最後の位置指定に係る点を前記第２点として、前記順次表示の速度を決定するように構成されていることを特徴とする。
【００１７】
本発明にあっては、前記速度決定手段は、例えば、前記第１点の後に位置指定を受け付けた点が複数である場合、最後に受け付けた位置指定に係る点を前記第２点として、前記第１点と前記第２点との間の距離を求め、該距離に基づき、前記画像群の順次表示における速度を決定する。
【００１８】
本発明に係る表示装置は、前記決定手段は、先の位置指定に係る第１点と、後の位置指定に係る第２点との間の時間間隔に基づき、前記順次表示の速度を決定する速度決定手段を備えることを特徴とする。
【００１９】
本発明にあっては、前記決定手段が前記速度決定手段を備え、該速度決定手段は、前記第１点の位置指定を受け付けてから、前記第２点の位置指定を受け付けるまでの時間間隔に基づき、前記画像群の順次表示の速度を決定する。
【００２０】
本発明に係る表示装置は、前記速度決定手段は、複数の位置指定を受け付けた場合、最後の位置指定に係る２点を夫々第１点と第２点とし、前記順次表示の速度を決定するように構成されていることを特徴とする。
【００２１】
本発明にあっては、前記速度決定手段は、複数の位置指定を受け付けた場合、最後に受け付けた位置指定に係る２点を夫々第１点と第２点とし、前記第１点の位置指定を受け付けてから、前記第２点の位置指定を受け付けるまでの時間間隔に基づき、前記画像群の順次表示の速度を決定する。
【００２２】
本発明に係る表示装置は、前記画像群の各画像にはページ番号が付されており、前記決定手段は、前記第１点及び第２点を表す座標のＸ値同士又はＹ値同士の大小に基づき、ページ順か又は逆ページ順かの表示順の決定を行う表示順決定手段を備えることを特徴とする。
【００２３】
本発明にあっては、前記決定手段は前記表示順決定手段を備えており、該表示順決定手段は前記第１点及び第２点を表す座標のＸ値同士又はＹ値同士を比較して大小を決定し、該決定の結果に基づき、前記画像群の順次表示をページ順にするか又は逆ページ順にするかの表示順を決定する。
【００２４】
本発明に係る表示装置は、前記表示順決定手段は、前記第１点の後の位置指定に係る点が複数である場合、最後の位置指定に係る点を前記第２点として、前記表示順の決定を行うように構成されていることを特徴とする。
【００２５】
本発明にあっては、前記表示順決定手段は、前記第１点の後に受け付けた位置指定に係る点が複数である場合、最後の位置指定に係る点を前記第２点として、前記第１点及び第２点を表す座標のＸ値同士又はＹ値同士を比較して大小を決定し、該決定の結果に基づき、前記画像群の順次表示をページ順にするか又は逆ページ順にするかの表示順を決定する。
【００２６】
本発明に係る表示方法は、ページ単位の画像からなる画像群が表示される表示部と、該表示部の表示画面上の位置指定を受け付ける位置受付手段とを備える表示装置にて、該位置受付手段が受け付けた位置指定に基づき、該画像群を順次表示する表示方法において、前記位置受付手段を介して画像の端部にて２点の位置指定を受け付けるステップと、先の位置指定に係る第１点と、後の位置指定に係る第２点との距離に基づき、前記順次表示の速度を決定するステップとを含むことを特徴とする。
【００２７】
本発明に係るコンピュータプログラムは、ページ単位の画像からなる画像群が表示される表示部と、該表示部の表示画面上の位置指定を受け付ける位置受付手段とを備える表示装置を構成するコンピュータに、該位置受付手段が受け付けた位置指定に基づき、該画像群を順次表示させるコンピュータプログラムにおいて、コンピュータに、前記位置受付手段を介して画像の端部にて２点の位置指定を受付させるステップと、コンピュータに、先の位置指定に係る第１点と、後の位置指定に係る第２点との距離に基づき、前記順次表示の速度を決定させるステップとを実行させることを特徴とする。
【００２８】
本発明にあっては、前記位置受付手段を介して前記画像の端部にて２点の位置指定が受け付けられた場合、先に受け付けた位置指定に係る第１点と、後に受け付けた位置指定に係る第２点との間の距離が求められ、求められた距離に基づき、前記画像群の順次表示における速度を決定される。
【００２９】
本発明に係る表示方法は、前記画像群の各画像にはページ番号が付されており、前記第１点及び第２点を表す座標のＸ値同士又はＹ値同士の大小に基づき、ページ順か又は逆ページ順かの表示順を決定するステップを含むことを特徴とする。
【００３０】
本発明に係るコンピュータプログラムは、前記画像群の各画像にはページ番号が付されており、コンピュータに、前記第１点及び第２点を表す座標のＸ値同士又はＹ値同士の大小に基づき、ページ順か又は逆ページ順かの表示順を決定させるステップを実行させることを特徴とする。
【００３１】
本発明にあっては、前記第１点及び第２点を表す座標のＸ値同士又はＹ値同士の比較によって大小が決定され、該決定の結果に基づき、前記画像群の順次表示をページ順にするか又は逆ページ順にするかの表示順が決定される。
【００３２】
本発明に係る記録媒体は、前述の発明のコンピュータプログラムを記録してあることを特徴とする。
【００３３】
本発明にあっては、前記記録媒体に前述のコンピュータプログラムを記録する。コンピュータが前記記録媒体からコンピュータプログラムを読み出して、前述の表示装置及び表示方法がコンピュータにより実現される。
【発明の効果】
【００３４】
本発明によれば、前記画像の端部にて受け付けた位置指定に係る２点の相互関係に基づき、前記順次表示の速度及び表示順を決定するので、特殊な構造を必要とせず、簡単な操作によって、いわゆるめくり表示（順次表示）におけるめくり速度及びめくり方向（表示順）を調整することができ、利用者の操作性を向上させる。
【図面の簡単な説明】
【００３５】
【図１】本発明の実施の形態１の書籍データ表示装置の要部構成を示す機能ブロック図である。
【図２】実際の本におけるページめくり様子を説明する説明図である。
【図３】実際の本におけるページめくり様子を説明する説明図である。
【図４】利用者が本発明の実施の形態１の書籍データ表示装置を片手で把持している状態を示す模式図である。
【図５】本発明の実施の形態１の書籍データ表示装置における、めくり表示の速度の決定を説明する説明図である。
【図６】本発明の実施の形態１の書籍データ表示装置における、めくり表示の速度の決定を説明する説明図である。
【図７】本発明の実施の形態１の書籍データ表示装置における、めくり表示の速度の決定を説明する説明図である。
【図８】本発明の実施の形態１の書籍データ表示装置における、めくり表示の方向の決定を説明する説明図である。
【図９】本発明の実施の形態１の書籍データ表示装置における、めくり表示の方向の決定を説明する説明図である。
【図１０】本発明の実施の形態１の書籍データ表示装置において、めくり表示の速度を決定する処理を示すフローチャートである。
【図１１】本発明の実施の形態１の書籍データ表示装置において、めくり表示の方向を決定する処理を示すフローチャートである。
【図１２】本発明の実施の形態１の書籍データ表示装置において、めくり表示の速度を決定する処理を示すフローチャートである。
【図１３】本発明の実施の形態２の書籍データ表示装置の要部構成を示す機能ブロック図である。
【発明を実施するための形態】
【００３６】
以下に、本発明の実施の形態に係る表示装置、表示方法及びコンピュータプログラムを、いわゆる電子ブックの機能を有する書籍データ表示装置に適用した場合を例として、図面に基づいて詳述する。
（実施の形態１）
図１は本発明の実施の形態１の書籍データ表示装置１００の要部構成を示す機能ブロック図である。書籍データ表示装置１００はＣＰＵ１、ＲＯＭ２及びＲＡＭ３を備えている。
【００３７】
ＲＯＭ２には各種の制御プログラム、演算用のパラメータのうちの基本的に固定のデータ等が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ、該実行の際適宜変化するパラメータ等を記憶する。
【００３８】
ＣＰＵ１は、ＲＯＭ２に予め格納されている制御プログラムをＲＡＭ３上にロードして実行することによって、バスＮを介して下記の各種ハードウェアの制御を行い、装置全体を本発明の書籍データ表示装置１００として動作させる。また、ＣＰＵ１は、後述する位置受付部８を介して、利用者から処理の指示の入力を受け付ける。
【００３９】
本発明の実施の形態１の書籍データ表示装置１００は、記憶部４と、Ｉ／Ｆ（Inter Face）５と、表示部６と、表示制御部７と、位置受付部８と、めくり表示決定部９と、計時部１０とを更に備えている。
【００４０】
記憶部４は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部４には書籍データが記憶されている。該書籍データは複数の画像からなる電子書籍のコンテンツデータであり、表示制御部７は該書籍データに基づき、表示部６に電子書籍のコンテンツ（画像群）を表示する。
【００４１】
前記書籍データは、Ｉ／Ｆ５を介して外部の通信ネットワークから書籍データをダウンロードするか、又は図示しない可搬型の記録媒体に記録された書籍データを読み込み、書籍データを記憶部４で記憶する。
【００４２】
表示部６は、例えば、ＬＣＤ又はＥＬ（Electroluminescence）パネル等からなり、電子書籍のコンテンツが表示される。また、表示部６の表示画面は位置受付部８によって覆われている。
【００４３】
表示制御部７は、ＤＳＰ（Digital Signal Processor）のようなプロセッサにより構成され、表示部６への画像表示を制御する。例えば、ＣＰＵ１の指示に応じて表示部６に表示すべき画像の画像データを生成する。詳しくは、表示制御部７は前記書籍データに基づき、表示部６に表示すべき電子書籍のコンテンツの画像データを生成し、生成された画像データに基づく画像（電子書籍のコンテンツ）を表示部６に表示する。
【００４４】
また、表示制御部７は、めくり表示決定部９による決定結果（めくり表示の速度及び方向）に基づき、表示部６の画面上にて、表示された電子書籍の画面ページ（コンテンツ）をページ順又は逆ページ順に捲る、アニメーション表示を行い、現実の本のページめくりを疑似的に実現するめくり表示を行う。
【００４５】
図２及び図３は実際の本におけるページめくり様子を説明する説明図である。例えば、実際に本が両開き状態である場合において、右ページを１ページ捲って次の左ページ及び右ページをあける場合、現の右ページが捲られ、現の右ページ（次の左ページ）の耳の縁が現の左ページの耳の縁へ接近移動することにつれて、現の左ページ及び右ページの可視面積が減少する一方、次の左ページ及び右ページの可視面積は増加する。
【００４６】
前記めくり表示は、このように、本を１ページずつ捲るような視覚的効果を演出する公知の技術である。例えば、利用者が、表示部６の画面を、実際の本を捲るように指先にてめくる操作をした場合、現の右ページ又は次の左ページ（画像）の耳の縁が現の左ページ（画像）の耳の縁へ接近移動することに伴い、夫々のページにおける可視面積変化の処理と、該可視面積への表示画像の切替を施すものである。
【００４７】
位置受付部８は、いわゆるタッチパネルであり、表示部６の表示画面を覆うように設けられている。位置受付部８は利用者のタッチ操作により表示部６の表示画面上における位置指定を受け付ける。利用者の指先のタッチ操作による圧力の変化を検知し、又は静電気による電気信号を検知して、利用者の指先の接触点に対応する表示部６の表示画面上の座標を検出し、該座標を特定する信号を発生する。また、位置受付部８は、これに限るものでなく、ポインティングデバイス（例えば、スタイラスペン）等による構成であっても良い。
【００４８】
例えば、利用者が、位置受付部８上をタッチしてから所定距離をドラッグして指先を離した場合、位置受付部８は、タッチした位置に係る一の点（第１点）と、離した位置に係る他の点（第２点）の位置指定を受け付ける。このようにして、利用者から受け付けた位置指定に係る２つの点の座標を特定する信号は、位置受付部８によって、ＣＰＵ１及びめくり表示決定部９に送出される。
【００４９】
ＣＰＵ１は、位置受付部８から取得した前記座標を特定する信号に基づき、位置受付部８を介して利用者から所定の指定（例えば、めくり表示）を受け付けたものと認識する。
【００５０】
めくり表示決定部９は位置受付部８が受け付けた位置指定に係る２つの点の相互関係に基づき、表示制御部７によるめくり表示における、めくり表示の速度（順次表示の速度）と、めくり表示の方向（順次表示の表示順）とを決定する。すなわち、めくり表示決定部９は前記２つの点の間の位置関係、又は位置指定の時間関係に基づき、めくり表示における、めくり表示の速度及び方向を決定する。上述したように、１ページずつ捲るような場合でなく、実際の本をパラパラとめくるようなめくり表示における、めくり表示の速度及び方向を決定する。
【００５１】
詳しくは、めくり表示決定部９は速度決定部９１を備えており、速度決定部９１は位置受付部８から取得した前記座標を特定する信号に基づき、前記電子書籍のページ順又は逆ページ順にめくり表示をする際における、めくり表示の速度、換言すれば、めくり速度を決定する。
【００５２】
また、めくり表示決定部９は表示順決定部９２を備えており、表示順決定部９２は位置受付部８から取得した前記座標を特定する信号に基づき、前記電子書籍をめくり表示する際において、該電子書籍のページ順にめくり表示するか、又は逆ページ順にめくり表示するかを決定する。
【００５３】
以下において、本発明の実施の形態１の書籍データ表示装置１００における、めくり表示の速度及び方向の決定について詳しく説明する。図４は利用者が本発明の実施の形態１の書籍データ表示装置１００を片手で把持している状態を示す模式図である。めくり表示をする場合、利用者は親指先にて、図４に示すように、表示部６（位置受付部８）の一部をタッチ操作することにより行う。詳しくは、利用者は親指にて表示部６に表示されている電子書籍の画像ページの横方向（図面視）の端部をタッチ操作する。
【００５４】
図５から図７は本発明の実施の形態１の書籍データ表示装置１００における、めくり表示の速度の決定を説明する説明図である。斯かる図面は、電子書籍の両開き状態を示しており、図中には、親指を点線にて示している。また、説明の便宜上、ページ順にめくり表示する場合を例として説明する。
【００５５】
例えば、利用者が親指にて電子書籍の右画像ページＲの端部の「１」点（第１点）をタッチし、そのまま外側の「２」点（第２点）までスライドさせてから、親指を離せず、停止する操作を行う。斯かる場合、位置受付部８は、「１」点及び「２」点に対応する座標を求め、該座標を表す信号を速度決定部９１に送る。
【００５６】
速度決定部９１は位置受付部８から「１」点及び「２」点の座標を表す信号を受信し、これら座標に基づき、「１」点及び「２」点の間の距離を求める。
【００５７】
一方、記憶部４内の一部の領域には、位置受付部８が受け付けた位置指定に係る２つの点の間の距離と、めくり表示の速度とを対応付けて記憶している。例えば、上述したような、１ページずつ捲るめくり表示の場合を１倍速とした場合、パラパラと捲るめくり表示の場合は、前記距離に応じて２倍速、４倍速等に対応付けられている。
【００５８】
「１」点及び「２」点の間の距離を求めた速度決定部９１は、求められた距離に対応するめくり表示の速度を記憶部４から読み出し、めくり表示の速度として決定する。例えば、速度決定部９１によって決定されためくり表示の速度が２倍速である場合、１ページずつ捲るめくり表示の場合（図２又は図３参照）より２倍速にて、パラパラとページを捲るようなめくり表示を行う（図６参照）。
【００５９】
一方、利用者は、今現に行われているめくり表示の速度より早いめくり表示を希望する場合が想定される。斯かる場合、利用者は親指をそのままより外側にスライドさせ、「３」点にて止める。この際、親指はタッチしたままである。すなわち、利用者は、「１」点からの距離をより広げるように親指を移動させる。
【００６０】
このような利用者の操作があった場合、位置受付部８は「３」点（第２点）に対応する座標を求め、該座標を表す信号を速度決定部９１に送る。今回、速度決定部９１は位置受付部８から「３」点の座標を表す信号を受信し、「１」点及び「３」点の間の距離を求める。
【００６１】
速度決定部９１は、求められた「１」点と「３」点との間の距離に対応するめくり表示の速度を記憶部４から読み出し、めくり表示の速度として決定する。例えば、速度決定部９１によって決定されためくり表示の速度が４倍速である場合、２倍速にてめくり表示の場合（図６参照）より、早い速度にてパラパラとページを捲るようなめくり表示を行う（図７参照）。
【００６２】
例えば、４倍速のめくり表示の場合においては、２倍速のめくり表示より、めくられているようなアニメーション表示がされる画像ページ（例えば、図６中、４０ページ〜４７ページ）の数を２倍に増やし、各画像ページへの画像の切替間隔を１／２倍にする等の処理を施し、現実の本のページをパラパラとめくっているかのように、ページめくりを疑似的に実現する。
【００６３】
一方、利用者は、今現に行われているめくり表示の速度より遅いめくり表示を希望する場合が想定される。斯かる場合、利用者は親指をそのまま内側にスライドさせ、例えば、「３」点から「２」点まで戻して止める。すなわち、利用者は、「１」点からの距離を縮めるように親指を移動させる。
【００６４】
このような利用者の操作があった場合、位置受付部８は再び「２」点（第２点）に対応する座標を求めて該座標を表す信号を速度決定部９１に送り、速度決定部９１は「１」点及び「２」点の間の距離を求め、当該距離に対応するめくり表示の速度を記憶部４から読み出し、めくり表示の速度として決定する。
【００６５】
すなわち、速度決定部９１は、先に受け付けた位置指定に係る点（第１点）と、後に受け付けた位置指定に係る点の中、最後に受け付けた位置指定に係る点（第２点）との間の距離に基づき、めくり表示の速度を決定する。一方、利用者が親指を表示部６（位置受付部８）から離した場合、めくり表示は終了する。
【００６６】
以上に記載したように、本発明の実施の形態１の書籍データ表示装置１００は、利用者が親指を電子書籍（画像ページ）の端部にタッチした後、スライドする簡単な操作によって、めくり表示の速度を連続的に加減することができる。
【００６７】
従って、本発明の実施の形態１の書籍データ表示装置１００においては、実施の本と同様、ページをパラパラとめくりながら、無作為にて所望の情報を探し出すことができ、より実際の本に近い感覚を利用者にもたらせることができる。
【００６８】
図８又は図９は本発明の実施の形態１の書籍データ表示装置１００における、めくり表示の方向の決定を説明する説明図である。斯かる図面は、電子書籍の両開き状態を示しており、図中には、親指を点線にて示している。また、説明の便宜上、めくり表示の速度は考慮しないものとする。
【００６９】
例えば、利用者が親指にて電子書籍の右画像ページＲの端部の「１」点（第１点）をタッチし、そのまま外側の「２」点（第２点）までスライドさせてから、親指を離せず、停止する操作を行う。斯かる場合、位置受付部８は、「１」点及び「２」点に対応する座標を求め、該座標を表す信号を表示順決定部９２に送る。
【００７０】
表示順決定部９２は位置受付部８から「１」点及び「２」点の座標を表す信号を受信し、これら座標に基づき、「１」点のＸ座標値（又はＹ座標）と、「２」点のＸ座標値（又はＹ座標）との間の大小を判定する。例えば、後に受け付けた位置指定に係る点のＸ座標値が、先に受け付けた位置指定に係る点のＸ座標値より大きい場合、表示順決定部９２はめくり表示の方向をページ順の表示に決定する。一方、後に受け付けた位置指定に係る点のＸ座標値が、先に受け付けた位置指定に係る点のＸ座標値より小さい場合、表示順決定部９２はめくり表示の方向を逆ページ順の表示に決定する。
【００７１】
本例においては、先に受け付けた位置指定に係る点が「１」点であり、後に受け付けた位置指定に係る点が「２」点であるので、「２」点のＸ座標値が「１」点のＸ座標値より大きい。従って、表示順決定部９２は、めくり表示の方向をページ順の表示に決定する。斯かる場合、図６に示すように、現実の本をページ順にパラパラとめくっているかのように、ページめくりを疑似的に実現する。
【００７２】
一方、利用者が親指にて電子書籍の右画像ページＲの端部の「１」点（第１点）をタッチし、親指をそのまま内側の「３」点（第２点）までスライドさせた場合は、後に受け付けた位置指定に係る点（「３」点）のＸ座標値が、先に受け付けた位置指定に係る点（「１」点）のＸ座標値より小さいので、表示順決定部９２はめくり表示の方向を逆ページ順の表示に決定する。斯かる場合、図９に示すように、現実の本を逆ページ順にパラパラとめくっているかのように、ページめくりを疑似的に実現する。
【００７３】
一方、上述したように、利用者が親指にて電子書籍の右画像ページＲの端部の「１」点（第１点）をタッチし、親指をそのまま一旦外側の「２」点（第２点）までスライドさせた後、所定時間が経過してから、更にそのまま親指を内外側にスライドさせ、「３」点にて止める場合も想定できる。
【００７４】
斯かる場合、位置受付部８が「３」点に対応する座標を求め、該座標を表す信号を表示順決定部９２に送り、表示順決定部９２は該信号を受信してこれら座標に基づき、「１」点のＸ座標値と「３」点のＸ座標値との間の大小を判定し、めくり表示の方向を決定する。
【００７５】
この場合、後に受け付けた位置指定に係る点（「３」点）のＸ座標値が、先に受け付けた位置指定に係る点（「１」点）のＸ座標値より小さいので、表示順決定部９２はめくり表示の方向を逆ページ順の表示に決定することになる。
【００７６】
従って、図６に示すように、電子書籍をページ順にパラパラとめくるめくり表示をしている途中で、「３」点へのスライド操作が行われ、図９に示すように、逆ページ順にパラパラとめくるめくり表示に処理が変わる。
【００７７】
すなわち、表示順決定部９２は、先に受け付けた位置指定に係る点（第１点）のＸ座標値（又はＹ座標）と、後に受け付けた位置指定に係る点の中、最後に受け付けた位置指定に係る点（第２点）のＸ座標値（又はＹ座標）との間の大小に基づき、めくり表示の方向を決定する。
【００７８】
以上の説明においては、右画像ページＲの端部をタッチ操作する場合を例として説明したが、これに限るものでなく、左画像ページＬの端部でのタッチ操作の場合においても同様である。
【００７９】
図１０は本発明の実施の形態１の書籍データ表示装置１００において、めくり表示の速度を決定する処理を示すフローチャートである。以下の説明は図５を参考にして行い、説明の便宜上、先に受け付けた位置指定に係る点を第１点とし、後に受け付けた位置指定に係る点を第２点とする。また、以下の説明において、めくり表示の方向については考慮しないものとする。
【００８０】
利用者が位置受付部８（表示部６）上の所定点をタッチ操作した場合、位置受付部８は該所定点の位置指定を受け付ける。位置受付部８は利用者から受け付けた位置指定に係る前記所定点の座標を表す信号をＣＰＵ１に送出する。ＣＰＵ１は、位置受付部８から取得した信号に基づき、前記所定点のタッチ操作が、表示部６に表示された画像ページの端部でのタッチ操作であるか否かを判定する（Ｓ１０１）。
【００８１】
ＣＰＵ１は表示部６に表示された画像ページの端部でのタッチ操作でないと判定した場合（Ｓ１０１：ＮＯ）、利用者によって画像ページの端部でのタッチ操作が行われるまで待機する。
【００８２】
一方、ＣＰＵ１が表示部６に表示された画像ページの端部でのタッチ操作であると判定した場合（Ｓ１０１：ＹＥＳ）、位置受付部８は該タッチ操作に係る前記所定点（例えば、図５の「１」点）を第１点として位置指定を受け付ける（Ｓ１０２）。
【００８３】
利用者が図５の「１」点にてタッチ操作をした後、例えば、図５の「２」点までスライドする操作を行い、利用者の親指が図５の「２」点にて停止した場合、ＣＰＵ１は計時部１０に計時を指示する。
【００８４】
ＣＰＵ１は計時部１０による計時結果に基づき、利用者の親指が図５の「２」点にて停止してから所定時間が経過したか否かを判定する（Ｓ１０３）。
【００８５】
ＣＰＵ１は利用者の親指が図５の「２」点にて停止してから所定時間が経過していないと判定した場合（Ｓ１０３：ＮＯ）、所定時間が経過するまで待機する。
【００８６】
一方、ＣＰＵ１が利用者の親指が図５の「２」点にて停止してから所定時間が経過したと判定した場合（Ｓ１０３：ＹＥＳ）、位置受付部８は図５の「２」点を第２点として位置指定を受け付ける（Ｓ１０４）。
【００８７】
このようにして、利用者から受け付けた位置指定に係る第１点及び第２点の座標を表す信号は、位置受付部８によって、めくり表示決定部９（速度決定部９１）に送出される。
【００８８】
速度決定部９１は位置受付部８から第１点及び第２点の座標を表す信号を受信し、これら座標に基づき、第１点及び第２点の間の距離を求める（Ｓ１０５）。
【００８９】
第１点及び第２点の間の距離を求めた速度決定部９１は、求められた距離に対応するめくり表示の速度を記憶部４から読み出し（Ｓ１０６）、読み出した速度を表示制御部７によるめくり表示の速度として決定する（Ｓ１０７）。斯かる処理については、上述したとおりであり、詳しい説明を省略する。
【００９０】
次いで、表示制御部７は、速度決定部９１によって決定されためくり表示の速度に基づき、めくり表示を行い（Ｓ１０８）、現実の本をパラパラとページをめくっているかのように、ページめくりを疑似的に実現する。
【００９１】
この後、ＣＰＵ１は位置受付部８から取得した信号に基づき、利用者の親指のスライド操作が再びあったか否かを判定する（Ｓ１０９）。
【００９２】
例えば、利用者が図５の「２」点から「３」点まで更に親指をスライドさせ、ＣＰＵ１が利用者の親指のスライド操作が再びあったと判定した場合（Ｓ１０９：ＹＥＳ）、処理をＳ１０３に戻す。以降、該スライド操作によって新たに第２点の位置指定が受け付けられる。すなわち、図５の「３」点を新たな第２点とする位置指定が受け付けられる。
【００９３】
一方、ＣＰＵ１は利用者の親指のスライド操作がなかったと判定した場合（Ｓ１０９：ＮＯ）、位置受付部８から取得した信号に基づき、利用者が親指を表示部６（位置受付部８）から離したか否かを判定する（Ｓ１１０）。
【００９４】
ＣＰＵ１は利用者が親指を表示部６（位置受付部８）から離したと判定した場合（Ｓ１１０：ＹＥＳ）、処理を終了する。
【００９５】
一方、ＣＰＵ１は利用者が親指を表示部６（位置受付部８）から離していないと判定した場合（Ｓ１１０：ＮＯ）、処理をＳ１０９に戻す。
【００９６】
図１１は本発明の実施の形態１の書籍データ表示装置１００において、めくり表示の方向を決定する処理を示すフローチャートである。以下の説明は図８を参考にして行い、説明の便宜上、先に受け付けた位置指定に係る点を第１点とし、後に受け付けた位置指定に係る点を第２点とする。また、以下の説明において、めくり表示の方向については考慮しないものとする。
【００９７】
利用者が位置受付部８（表示部６）上の所定点をタッチ操作した場合、位置受付部８は該所定点の位置指定を受け付ける。斯かる際、ＣＰＵ１は、位置受付部８から取得した信号に基づき、前記所定点のタッチ操作が、表示部６に表示された画像ページの端部でのタッチ操作であるか否かを判定する（Ｓ２０１）。
【００９８】
ＣＰＵ１は表示部６に表示された画像ページの端部でのタッチ操作でないと判定した場合（Ｓ２０１：ＮＯ）、利用者によって画像ページの端部でのタッチ操作が行われるまで待機する。一方、ＣＰＵ１が表示部６に表示された画像ページの端部でのタッチ操作であると判定した場合（Ｓ２０１：ＹＥＳ）、位置受付部８は該タッチ操作に係る前記所定点（例えば、図８の「１」点）を第１点として位置指定を受け付ける（Ｓ２０２）。
【００９９】
利用者が図８の「１」点にてタッチ操作をした後、例えば、図８の「２」点までスライドする操作を行い、利用者の親指が図８の「２」点にて停止した場合、ＣＰＵ１は計時部１０に計時を指示する。
【０１００】
ＣＰＵ１は計時部１０による計時結果に基づき、利用者の親指が図８の「２」点にて停止してから所定時間が経過したか否かを判定する（Ｓ２０３）。
【０１０１】
ＣＰＵ１は利用者の親指が図８の「２」点にて停止してから所定時間が経過していないと判定した場合（Ｓ２０３：ＮＯ）、所定時間が経過するまで待機する。一方、ＣＰＵ１によって利用者の親指が図８の「２」点にて停止してから所定時間が経過したと判定した場合（Ｓ２０３：ＹＥＳ）、位置受付部８は図８の「２」点を第２点として位置指定を受け付ける（Ｓ２０４）。
【０１０２】
このようにして、利用者から受け付けた位置指定に係る第１点及び第２点の座標を表す信号は、位置受付部８によって、めくり表示決定部９（表示順決定部９２）に送出される。
【０１０３】
表示順決定部９２は位置受付部８から第１点及び第２点の座標を表す信号を受信し、例えば、第１点のＸ座標値と、第２点のＸ座標値との間の大小を判定する（Ｓ２０５）。
【０１０４】
また、表示順決定部９２は、該大小の判定の結果に基づき、表示制御部７によるめくり表示の方向を決定する（Ｓ２０６）。例えば、第２点のＸ座標値が、第１点のＸ座標値より大きい場合、表示順決定部９２はめくり表示の方向をページ順の表示に決定する。一方、第２点のＸ座標値が、第１点のＸ座標値より小さい場合、表示順決定部９２はめくり表示の方向を逆ページ順の表示に決定する。
【０１０５】
次いで、表示制御部７は、表示順決定部９２によって決定されためくり表示の方向に基づき、めくり表示を行い（Ｓ２０７）、現実の本をパラパラとページをめくっているかのように、ページめくりを疑似的に実現する。
【０１０６】
この後、ＣＰＵ１は位置受付部８から取得した信号に基づき、利用者の親指のスライド操作が再びあったか否かを判定する（Ｓ２０８）。
【０１０７】
例えば、利用者が図８の「２」点から「３」点まで更に親指をスライドさせ、ＣＰＵ１が利用者の親指のスライド操作が再びあったと判定した場合（Ｓ２０８：ＹＥＳ）、処理をＳ２０３に戻す。以降、該スライド操作によって新たに第２点の位置指定が受け付けられる。すなわち、図８の「３」点を新たな第２点とする位置指定が受け付けられる。
【０１０８】
一方、ＣＰＵ１は利用者の親指のスライド操作がなかったと判定した場合（Ｓ２０８：ＮＯ）、位置受付部８から取得した信号に基づき、利用者が親指を表示部６（位置受付部８）から離したか否かを判定する（Ｓ２０９）。
【０１０９】
ＣＰＵ１は利用者が親指を表示部６（位置受付部８）から離したと判定した場合（Ｓ２０９：ＹＥＳ）、処理を終了する。一方、ＣＰＵ１は利用者が親指を表示部６（位置受付部８）から離していないと判定した場合（Ｓ２０９：ＮＯ）、処理をＳ２０８に戻す。
【０１１０】
以上の記載においては、先に受け付けた位置指定に係る点と、後に受け付けた位置指定に係る点との２つの点の間の距離に基づき、めくり表示の速度が決定される場合を例として説明したがこれに限るものでない。例えば、前記２つの点の間における、時間間隔に基づき、めくり表示の速度が決定されるように構成しても良い。すなわち、先に受け付けた位置指定から、その後の位置指定の受け付けまでの時間間隔に基づき、めくり表示の速度が決定される。
【０１１１】
以下、先に受け付けた位置指定に係る点と、後に受け付けた位置指定に係る点との２つの点の間における、位置指定を受け付ける時間間隔に基づき、めくり表示の速度を決定する処理について説明する。説明は図６に基づき行い、説明の便宜上、図６において、「１」点から「２」点まで０．５秒かけてスライドして一旦停止し、所定時間後、再び「２」点から「３」点まで１秒かけてスライドしたものとする。また、当該スライド操作の際、スライド開始点と、スライド終了点との２つの点の位置指定を受け付け、該２つの点の間の時間間隔に基づき、めくり表示の速度を決定する。
【０１１２】
例えば、利用者が親指にて電子書籍の右画像ページＲの端部の「１」点（第１点）をタッチし、そのまま外側の「２」点（第２点）までスライドさせてから、親指を離せず、停止する操作を行う。該スライドの開始の際、位置受付部８はスライド開始点の「１」点に係る位置指定を受け付ける。位置受付部８が該位置指定を受け付けた場合、ＣＰＵ１は計時部１０に計時開始を指示する。また、前記スライドの終了の際、位置受付部８はスライド終了点の「２」点に係る位置指定を受け付ける。位置受付部８が該位置指定を受け付けた場合、ＣＰＵ１は計時部１０に計時終了を指示する。計時部１０による計時結果は速度決定部９１に送られる。計時部１０による計時結果、すなわち、「１」点と「２」点との間の時間間隔は、上述したように、０．５秒である。
【０１１３】
速度決定部９１は計時部１０から計時結果、すなわち、「１」点及び「２」点の間での
位置指定の受け付けにおける時間間隔を受信し、これに基づき、めくり表示の速度を決定する。
【０１１４】
詳しくは、記憶部４内の一部の領域には、位置受付部８が受け付けた位置指定に係る２つの点の間の時間間隔と、すなわち、計時部１０による計時結果と、めくり表示の速度とを対応付けて記憶している。例えば、該計時結果と、めくり表示の速度とは相互比例し、計時結果が短い程、めくり表示の速度は速い。速度決定部９１は計時部１０から計時結果を取得した場合、該計時結果に対応するめくり表示の速度を記憶部４から読み出し、めくり表示の速度として決定する。
【０１１５】
一方、利用者は、今現に行われているめくり表示の速度より遅いめくり表示を希望する場合が想定される。斯かる場合、利用者は親指を「２」点からゆっくりスライドさせ、例えば、「３」点にて止める。この際、親指はタッチしたままである。この際におけるスライド時間、すなわち、「２」点と「３」点との間の時間間隔は、上述したように、１秒である。
【０１１６】
この場合のスライドの開始の際、位置受付部８が「２」点に係る位置指定を受け付け、ＣＰＵ１は計時部１０に計時開始を指示する。また、該スライドの終了の際、位置受付部８は「２」点に係る位置指定を受け付け、ＣＰＵ１は計時部１０に計時終了を指示する。計時部１０による計時結果は速度決定部９１に送られる。
【０１１７】
速度決定部９１は計時部１０から計時結果を取得した場合、該計時結果に対応するめくり表示の速度を記憶部４から読み出し、めくり表示の速度として決定する。本例においては、計時部１０による計時結果は１秒であるので、０．５秒である上記の場合に比べて遅いめくり表示の速度が決定される。
【０１１８】
一方、例えば、利用者が親指を再び「３」点から「２」点までスライドさせた場合が生じ得る。例えば、斯かる場合のスライド時間、すなわち、「３」点と「２」点との間の時間間隔が０．５秒である場合、速度決定部９１は再び０．５秒の計時結果に対応するめくり表示の速度を記憶部４から読み出し、めくり表示の速度として決定する。
【０１１９】
すなわち、速度決定部９１が位置指定に係る２つの点の間の時間間隔に基づき、めくり表示の速度を決定する場合において、受け付けた位置指定に係る点が複数ある場合、最後に受け付けた位置指定に係る２つの点の間の時間間隔に基づき、めくり表示の速度を決定する。
【０１２０】
図１２は本発明の実施の形態１の書籍データ表示装置１００において、めくり表示の速度を決定する処理を示すフローチャートである。以下の説明は図５を参考にして行い、説明の便宜上、先に受け付けた位置指定に係る点を第１点とし、後に受け付けた位置指定に係る点を第２点とする。また、以下の説明において、めくり表示の方向については考慮しないものとする。
【０１２１】
利用者が位置受付部８（表示部６）上の所定点をタッチ操作した場合、位置受付部８は該所定点の位置指定を受け付ける。斯かる際、ＣＰＵ１は、位置受付部８から取得した信号に基づき、前記所定点のタッチ操作が、表示部６に表示された画像ページの端部でのタッチ操作であるか否かを判定する（Ｓ３０１）。
【０１２２】
ＣＰＵ１は表示部６に表示された画像ページの端部でのタッチ操作でないと判定した場合（Ｓ３０１：ＮＯ）、利用者によって画像ページの端部でのタッチ操作が行われるまで待機する。一方、ＣＰＵ１が表示部６に表示された画像ページの端部でのタッチ操作であると判定した場合（Ｓ３０１：ＹＥＳ）、位置受付部８は該タッチ操作に係る前記所定点（例えば、図５の「１」点）を第１点として位置指定を受け付ける（Ｓ３０２）。この際、ＣＰＵ１は計時部１０に第１計時の開始を指示する。
【０１２３】
利用者が図５の「１」点にてタッチ操作をした後、例えば、図５の「２」点までスライドする操作を行い、利用者の親指が図５の「２」点にて停止した場合、ＣＰＵ１は計時部１０に第１計時の終了を指示し、新たに第２計時の開示を指示する。
【０１２４】
ＣＰＵ１は計時部３０による第２計時の結果に基づき、利用者の親指が図５の「２」点にて停止してから所定時間が経過したか否かを判定する（Ｓ３０３）。
【０１２５】
ＣＰＵ１は利用者の親指が図５の「２」点にて停止してから所定時間が経過していないと判定した場合（Ｓ３０３：ＮＯ）、所定時間が経過するまで待機する。一方、ＣＰＵ１が利用者の親指が図５の「２」点にて停止してから所定時間が経過したと判定した場合（Ｓ３０３：ＹＥＳ）、位置受付部８は図５の「２」点を第２点として位置指定を受け付ける（Ｓ３０４）。
【０１２６】
この際、計時部１０による第１計時の結果が速度決定部９１に送られ、速度決定部９１は計時部１０から第１計時の結果、すなわち、図５の「１」点及び「２」点の間における時間間隔を取得する（Ｓ３０５）。
【０１２７】
速度決定部９１は計時部１０から第１計時の結果を取得した場合、該計時の結果に対応するめくり表示の速度を記憶部４から読み出し（Ｓ３０６）、読み出した速度を表示制御部７によるめくり表示の速度として決定する（Ｓ３０７）。斯かる処理については、上述したとおりであり、詳しい説明を省略する。
【０１２８】
次いで、表示制御部７は、速度決定部９１によって決定されためくり表示の速度に基づき、めくり表示を行う（Ｓ３０８）。
【０１２９】
この後、ＣＰＵ１は位置受付部８から取得した信号に基づき、利用者の親指のスライド操作が再びあったか否かを判定する（Ｓ３０９）。例えば、利用者が図５の「２」点から「３」点まで更に親指をスライドさせ、ＣＰＵ１が利用者の親指のスライド操作が再びあったと判定した場合（Ｓ３０９：ＹＥＳ）、処理をＳ３０２に戻す。以降、該スライド操作によって新たに第１点及び第２点の位置指定が受け付けられる。すなわち、図５の「２」点を新たな第１点とし、図５の「３」点を新たな第２点とする位置指定が受け付けられる。
【０１３０】
一方、ＣＰＵ１は利用者の親指のスライド操作がなかったと判定した場合（Ｓ３０９：ＮＯ）、位置受付部８から取得した信号に基づき、利用者が親指を表示部６（位置受付部８）から離したか否かを判定する（Ｓ３１０）。
【０１３１】
ＣＰＵ１は利用者が親指を表示部６（位置受付部８）から離したと判定した場合（Ｓ３１０：ＹＥＳ）、処理を終了する。一方、ＣＰＵ１は利用者が親指を表示部６（位置受付部８）から離していないと判定した場合（Ｓ３１０：ＮＯ）、処理をＳ３０９に戻す。
【０１３２】
なお、以上においては、２つの点の間の時間間隔に基づき、すなわち、先に受け付けた位置指定から、その後の位置指定の受け付けまでの時間間隔に基づき、めくり表示の速度が決定される場合について説明したが、これに限るものでない。例えば、前記２つの点に係る座標及び前記時間間隔に基づき、前記２つの点の間のスライド速度を求め、求められたスライド速度に基づき、めくり表示の速度が決定されるように構成しても良い。
【０１３３】
（実施の形態２）
図１３は本発明の実施の形態２の書籍データ表示装置１００の要部構成を示す機能ブロック図である。実施の形態２の書籍データ表示装置１００は、動作を行うためのコンピュータプログラムが、Ｉ／Ｆ５を介してＣＤ−ＲＯＭ等の可搬型記録媒体Ａで提供することも可能であるように構成されている。さらに、実施の形態２の書籍データ表示装置１００は、前記コンピュータプログラムを、図示しない外部装置から通信部１１を介してダウンロードすることも可能であるように構成されている。以下に、その内容を説明する。
【０１３４】
実施の形態２の書籍データ表示装置１００は外装（又は内装）の記録媒体読み取り装置（図示せず）を備えており、該記録媒体読み取り装置に、位置受付手段を介して画像の端部にて２点の位置指定を受付させ、先の位置指定に係る第１点と、後の位置指定に係る第２点との距離に基づき、画像群の順次表示の速度を決定させ、第１点及び第２点を表す座標のＸ値同士又はＹ値同士の大小に基づき、ページ順か又は逆ページ順かの表示順を決定させるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、実施の形態１の本発明の書籍データ表示装置１００として機能する。
【０１３５】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【０１３６】
通信部１１を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【０１３７】
実施の形態１と同様の部分については、同一の符号を付して詳細な説明を省略する。
【符号の説明】
【０１３８】
１  ＣＰＵ
２  ＲＯＭ
３  ＲＡＭ
４  記憶部
６  表示部
７  表示制御部
８  位置受付部
９  めくり表示決定部（決定手段）
９１  速度決定部（速度決定手段）
９２  表示順決定部（表示順決定手段）
１００  書籍データ表示装置
【図１】
2012150566.tif 000003
【図２】
2012150566.tif 000004
【図３】
2012150566.tif 000005
【図４】
2012150566.tif 000006
【図５】
2012150566.tif 000007
【図６】
2012150566.tif 000008
【図７】
2012150566.tif 000009
【図８】
2012150566.tif 000010
【図９】
2012150566.tif 000011
【図１０】
2012150566.tif 000012
【図１１】
2012150566.tif 000013
【図１２】
2012150566.tif 000014
【図１３】
2012150566.tif 000015